(57)【要約】【課題】レーダー装置用カバーの外面に立体の外形を確保することにより、良好な電波透過性を確保しつつ従来に比して立体感等の意匠性を向上させる。【解決手段】電波を送受信する車輌のレーダー装置１２の外面側を覆うレーダー装置用カバー１０であって、電波透過性を有しカバーの立体の外形を郭定するポリカーボネート板の如き意匠外観付与層１８と、意匠外観付与層１８の内面に当接し電波透過性を有する発泡スチロールの如き保持層２０と、保持層２０の内面に当接する樹脂板２４と、意匠外観付与層１８と樹脂板２４とを一体的に接続し保持層２０の側面を全周に亘り覆う環帯状の樹脂層２６とを有し、樹脂板２４はレーダー装置１２が送信する電波の波長をλｅとし、樹脂板２４を構成する樹脂の比誘電率をεｐとして、半波長を比誘電率の平方根にて除算した値λｅ／（２・εｐ１／２）の整数倍と実質的に等しい厚さを有している。【選択図】        図４
2004301592.tif 000002
【特許請求の範囲】
【請求項１】
電波を送受信する車輌のレーダー装置の外面側を覆うレーダー装置用カバーであって、電波透過性を有しカバーの立体の外形を郭定する意匠外観付与層と、前記意匠外観付与層の内面に当接し電波透過性を有する保持層とを有することを特徴とする車輌のレーダー装置用カバー。
【請求項２】
前記保持層の内面は平面状をなし、電波透過性を有する樹脂板により覆われており、前記樹脂板はそれを構成する材料の比誘電率及び電波の波長に対し所定の関係をなす厚さを有することを特徴とする請求項１に記載の車輌のレーダー装置用カバー。
【請求項３】
前記保持層の側面は前記意匠外観付与層と前記樹脂板とを一体的に接続する樹脂層により覆われていることを特徴とする請求項２に記載の車輌のレーダー装置用カバー。
【請求項４】
電波を送受信する車輌のレーダー装置の外面側を覆うレーダー装置用カバーであって、電波透過性を有しカバーの立体の外形を郭定する意匠外観付与層と、電波透過性を有し前記意匠外観付与層の内面に部分的に当接する樹脂板とを有し、前記樹脂板はそれを構成する材料の比誘電率及び電波の波長に対し所定の関係をなす厚さを有することを特徴とする車輌のレーダー装置用カバー。
【請求項５】
電波を送受信する車輌のレーダー装置の外面側を覆うレーダー装置用カバーであって、電波透過性を有しカバーの立体の外形を郭定する意匠外観付与層と、電波透過性を有し前記意匠外観付与層の内面より前記レーダー装置側へ隔置された樹脂板であって、それを構成する材料の比誘電率及び電波の波長に対し所定の関係をなす厚さを有する樹脂板と、前記意匠外観付与層及び前記樹脂板の外周部を一体的に接続する樹脂層とを有することを特徴とする車輌のレーダー装置用カバー。
【請求項６】
前記レーダー装置は送信する電波の周波数を所定の範囲にて変動させるよう構成され、前記電波の波長は前記所定の範囲の中央の周波数に対応する波長であることを特徴とする請求項２乃至５に記載の車輌のレーダー装置用カバー。
【請求項７】
前記意匠外観付与層の外面は塗装、金属蒸着、コーティングの少なくとも何れかが施されていることを特徴とする請求項２乃至６に記載の車輌のレーダー装置用カバー。
【請求項８】
前記意匠外観付与層は光透過性を有し、前記意匠外観付与層の内面は塗装若しくは金属蒸着されていることを特徴とする請求項２乃至７に記載の車輌のレーダー装置用カバー。
【発明の詳細な説明】
【０００１】
【発明の属する技術分野】
本発明は、車輌のレーダー装置に係り、更に詳細にはレーダー装置用のカバーに係る。
【０００２】
【従来の技術】
自動車等の車輌のレーダー装置用カバーの一つとして、例えば下記の特許文献１に記載されている如く、電波透過性を有する透明な材料よりなる外面被覆板と、外面被覆板の凹凸を有する内面に形成される中間の金属膜と、金属膜の内面側に位置する電波透過性を有する材料よりなる背面被覆板とよりなるレーダー装置用カバーが従来より知られている。
【特許文献１】
特開２００２−１３５０３０号公報
【０００３】
【発明が解決しようとする課題】
上述の如き従来のレーダー装置用カバーに於いては、立体感や金属光沢を呈する金属膜が透明な材料よりなる外面被覆板により覆われているため、カバーに当たる光線が外面被覆板により反射され、そのため金属膜に施された立体感や金属光沢等の意匠性が損なわれるという不具合がある。
【０００４】
本発明は、電波透過性を有する透明な材料よりなる外面被覆板と、外面被覆板の凹凸を有する内面に形成される中間の金属膜と、金属膜の内面側に位置する電波透過性を有する材料よりなる背面被覆板とよりなる従来のレーダー装置用カバーに於ける上述の如き問題に鑑みてなされたものであり、本発明の主要な課題は、レーダー装置用カバーの外面に立体の外形を確保することにより、良好な電波透過性を確保しつつ従来に比して立体感等の意匠性を向上させることである。
【０００５】
【課題を解決するための手段】
上述の主要な課題は、本発明によれば、電波を送受信する車輌のレーダー装置の外面側を覆うレーダー装置用カバーであって、電波透過性を有しカバーの立体の外形を郭定する意匠外観付与層と、前記意匠外観付与層の内面に当接し電波透過性を有する保持層とを有することを特徴とする車輌のレーダー装置用カバー（請求項１の構成）、又は電波を送受信する車輌のレーダー装置の外面側を覆うレーダー装置用カバーであって、電波透過性を有しカバーの立体の外形を郭定する意匠外観付与層と、電波透過性を有し前記意匠外観付与層の内面に部分的に当接する樹脂板とを有し、前記樹脂板はそれを構成する材料の比誘電率及び電波の波長に対し所定の関係をなす厚さを有することを特徴とする車輌のレーダー装置用カバー（請求項４の構成）、又は電波を送受信する車輌のレーダー装置の外面側を覆うレーダー装置用カバーであって、電波透過性を有しカバーの立体の外形を郭定する意匠外観付与層と、電波透過性を有し前記意匠外観付与層の内面より前記レーダー装置側へ隔置された樹脂板であって、それを構成する材料の比誘電率及び電波の波長に対し所定の関係をなす厚さを有する樹脂板と、前記意匠外観付与層及び前記樹脂板の外周部を一体的に接続する樹脂層とを有することを特徴とする車輌のレーダー装置用カバー（請求項５の構成）によって達成される。
【０００６】
また本発明によれば、上述の主要な課題を効果的に達成すべく、上記請求項１の構成に於いて、前記保持層の内面は平面状をなし、電波透過性を有する樹脂板により覆われており、前記樹脂板はそれを構成する材料の比誘電率及び電波の波長に対し所定の関係をなす厚さを有するよう構成される（請求項２の構成）。
【０００７】
また本発明によれば、上述の主要な課題を効果的に達成すべく、上記請求項２の構成に於いて、前記保持層の側面は前記意匠外観付与層と前記樹脂板とを一体的に接続する樹脂層により覆われているよう構成される（請求項３の構成）。
【０００８】
また本発明によれば、上述の主要な課題を効果的に達成すべく、上記請求項２乃至５の構成に於いて、前記レーダー装置は送信する電波の周波数を所定の範囲にて変動させるよう構成され、前記電波の波長は前記所定の範囲の中央の周波数に対応する波長であるよう構成される（請求項６の構成）。
【０００９】
また本発明によれば、上述の主要な課題を効果的に達成すべく、上記請求項２乃至６の構成に於いて、前記意匠外観付与層の外面は塗装、金属蒸着、コーティングの少なくとも何れかが施されているよう構成される（請求項７の構成）。
【００１０】
また本発明によれば、上述の主要な課題を効果的に達成すべく、上記請求項２乃至７の構成に於いて、前記意匠外観付与層は光透過性を有し、前記意匠外観付与層の内面は塗装若しくは金属蒸着されているよう構成される（請求項８の構成）。
【００１１】
【発明の作用及び効果】
上記請求項１の構成によれば、電波透過性を有しカバーの立体の外形を郭定する意匠外観付与層と、意匠外観付与層の内面に当接し電波透過性を有する保持層とを有するので、レーダー装置用カバーの良好な電波透過性を確保すると共に、レーダー装置用カバーの立体感の如き所望の外観を意匠外観付与層により付与し、保持層により意匠外観付与層を保持してカバー全体の強度を確保することができる。
【００１２】
また上記請求項２の構成によれば、保持層の内面は平面状をなし、電波透過性を有する樹脂板により覆われており、樹脂板はそれを構成する材料の比誘電率及び電波の波長に対し所定の関係をなす厚さを有するので、樹脂板による電波の減衰をできるだけ低減しつつ保持層の内面を確実に保護することができる。
【００１３】
また上記請求項３の構成によれば、保持層の側面は意匠外観付与層と樹脂板とを一体的に接続する樹脂層により覆われているので、保持層を確実に保護すると共に、カバー内に泥水等が侵入することを効果的に防止し、カバー全体の強度及び良好な耐久性を効果的に確保することができる。
【００１４】
また上記請求項４の構成によれば、電波透過性を有しカバーの立体の外形を郭定する意匠外観付与層と、電波透過性を有し意匠外観付与層の内面に部分的に当接する樹脂板とを有し、樹脂板はそれを構成する材料の比誘電率及び電波の波長に対し所定の関係をなす厚さを有するので、レーダー装置用カバーの良好な電波透過性を確保すると共に、レーダー装置用カバーの立体感の如き所望の外観を意匠外観付与層により付与し、樹脂板により意匠外観付与層を保持してカバー全体の強度を確保することができる。
【００１５】
また上記請求項５の構成によれば、電波透過性を有しカバーの立体の外形を郭定する意匠外観付与層と、電波透過性を有し意匠外観付与層の内面に部分的に当接する樹脂板であって、それを構成する材料の比誘電率及び電波の波長に対し所定の関係をなす厚さを有し意匠外観付与層の内面より隔置された樹脂板と、意匠外観付与層及び樹脂板の外周部を一体的に接続する樹脂層とを有するので、レーダー装置用カバーの良好な電波透過性を確保すると共に、レーダー装置用カバーの立体感の如き所望の外観を意匠外観付与層により付与し、カバー内に泥水等が侵入することを効果的に防止することができる。
【００１６】
また上記請求項６の構成によれば、レーダー装置は送信する電波の周波数を所定の範囲にて変動させるよう構成され、前記電波の波長は所定の範囲の中央の周波数に対応する波長であるので、樹脂板による電波の減衰を効果的に低減することができる。
【００１７】
また上記請求項７の構成によれば、意匠外観付与層の外面は塗装、金属蒸着、コーティングの少なくとも何れかが施されているので、意匠外観付与層の外面によりカバーの外面に所望の色彩や模様等の外観を付与することができる。
【００１８】
また上記請求項８の構成によれば、意匠外観付与層は光透過性を有し、意匠外観付与層の内面は塗装若しくは金属蒸着されているので、カバーの外面に所望の外観を付与することができると共に、塗装層若しくは金属蒸着層を意匠外観付与層によって効果的に保護することができる。
【００１９】
【課題解決手段の好ましい態様】
本発明の一つの好ましい態様によれば、上記請求項１乃至８の構成に於いて、意匠外観付与層は実質的に一定の厚さを有し凹凸を有する板材であるよう構成される（好ましい態様１）。
【００２０】
本発明の他の一つの好ましい態様によれば、上記好ましい態様１の構成に於いて、板材はポリカーボネート樹脂の板材であるよう構成される（好ましい態様２）。
【００２１】
本発明の他の一つの好ましい態様によれば、上記請求項１乃至３の構成に於いて、保持層を構成する材料は発泡材であるよう構成される（好ましい態様３）。
【００２２】
本発明の他の一つの好ましい態様によれば、上記好ましい態様３の構成に於いて、保持層を構成する材料は発泡スチロールであるよう構成される（好ましい態様４）。
【００２３】
本発明の他の一つの好ましい態様によれば、上記請求項１乃至３の構成に於いて、保持層は意匠外観付与層の内面に対し固定されるよう構成される（好ましい態様５）。
【００２４】
【発明の実施の形態】
以下に添付の図を参照しつつ、本発明を幾つかの好ましい実施の形態（以下単に実施形態という）について詳細に説明する。
【００２５】
第一の実施形態
図１は本発明による車輌のレーダー装置用カバーの第一の実施形態を示す正面図、図２は図１の線ＩＩ−ＩＩに沿う断面図である。
【００２６】
これらの図に於いて、１０はレーダー装置１２の前方に配置されたカバーを示しており、カバー１０は図には示されていないが車輌のフロントグリル又はレーダー装置１２のレドームに固定されている。図示の実施形態に於いては、カバー１０は実質的に楕円板状をなし、レーダー装置１２の軸線１４に垂直に延在している。
【００２７】
尚図２に於いて、仮想線１６はレーダー装置１２より送信されカバー１０を通過する電波の範囲を示している。またレーダー装置１２自体は本発明を構成するものではないので、レーダー装置１２は、所定の周波数域にて電波を送信すると共に車輌の周囲の障害物より反射された電波を受信するよう構成されている限り、当技術分野に於いて公知の任意の構造のものであってよい。
【００２８】
カバー１０は電波透過性を有しカバーの立体の外形（外面形状）を郭定する意匠外観付与層１８と、意匠外観付与層１８の内面に当接し電波透過性を有する保持層２０とを有している。意匠外観付与層１８は凸状のロゴマーク２２を有する硬質で薄い樹脂、例えば一定の厚さを有し凹凸を有するポリカーボネート樹脂の板材にて形成されている。意匠外観付与層１８自体は透明でも不透明でもよく、またその外面は塗装、金属蒸着、コーティングにより所望の色彩や模様が付されていてよい。
【００２９】
一方保持層２０は発泡スチロールや発泡セラミックスの如く比誘電率が１に近い発泡材にて形成され、意匠外観付与層１８の内面に接着又は圧着により固定され、これにより意匠外観付与層１８を背後より保持してこれに強度を付与している。尚保持層２０の内面は軸線１４に垂直な平面状をなしており、該内面も塗装されていてもよい。また保持層２０は意匠外観付与層１８を型の一部として使用する成形により形成されてもよい。
【００３０】
かくして図示の第一の実施形態によれば、レーダー装置用カバー１０は電波
透過性を有しカバーの立体の外形を郭定する意匠外観付与層１８と、意匠外観付与層の内面に当接し電波透過性を有する保持層２０とを有するので、カバー１０の良好な電波透過性を確保すると共に、光が当たる方向や見る方向に拘らずカバー１０に立体感の如き所望の外観を意匠外観付与層１８により付与し、保持層２０により意匠外観付与層１８を保持してカバー全体の強度を確保することができる。
【００３１】
特に図示の第一の実施形態によれば、保持層２０は意匠外観付与層１８の内面に接着又は圧着により固定され、これにより意匠外観付与層１８を背後より保持してこれに強度を付与しているので、保持層２０が意匠外観付与層１８の内面ただ単に当接している場合に比して、カバーの強度を高くすることができると共に、保持層２０が設けられない場合に比して意匠外観付与層１８の厚さを低減し、意匠外観付与層１８による電波の減衰を低減することができる（このことは後述の第三の実施形態についても同様である）。
【００３２】
また図示の第一の実施形態によれば、保持層２０は意匠外観付与層１８の内面の凹部を含む全ての領域に於いて意匠外観付与層１８の内面に接着又は圧着により固定されているので、保持層２０が意匠外観付与層１８の平面状の内面部分にのみ固定されている場合に比して、カバーの強度を高くすることができる（このことも後述の第三の実施形態についても同様である）。
【００３３】
更に図示の第一の実施形態によれば、保持層２０は比誘電率が１に近い発泡材にて形成され、保持層２０による電波の減衰は非常に小さいので、カバー１０の良好な電波透過性を確保しつつ保持層２０の厚さの設定によりカバー１０の厚さを比較的自由に設定することができる（このことも後述の第三の実施形態についても同様である）。
【００３４】
第二乃至第四の実施形態
図３乃至図５はそれぞれ本発明による車輌のレーダー装置用カバーの第二乃至第四の実施形態を示す図２と同様の断面図である。尚図３乃至図５に於いて、図１及び図２に示された部材と同一の部材には図１及び図２に於いて付された符号と同一の符号が付されている。
【００３５】
図３に示された第二の実施形態に於いては、カバー１０は電波透過性を有しカバーの立体の外形を郭定する意匠外観付与層１８と、意匠外観付与層１８の内面に部分的に固定され電波透過性を有する樹脂板２４とを有している。意匠外観付与層１８は上述の第一の実施形態の場合と同様に構成されている。樹脂板２４は平板状をなすＡＥＳ樹脂やＡＢＳ樹脂の板材であり、意匠外観付与層１８の平面状の内面部分に当接した状態にて接着又はねじの如き機械的手段により固定されている。
【００３６】
特に図示の実施形態に於いては、樹脂板２４はレーダー装置１２が送信する電波の波長をλｅとし、樹脂板２４を構成する樹脂の比誘電率をεｐとして、半波長を比誘電率の平方根にて除算した値λｅ／（２・εｐ１／２）の整数倍と実質的に等しい厚さを有している。尚レーダー装置１２は送信する電波の周波数を所定の範囲にて変動させるよう構成されており、上記電波の波長λｅは所定の範囲の中央の周波数に対応する波長に設定される。
【００３７】
かくして図示の第二の実施形態によれば、レーダー装置用カバー１０は電波透過性を有しカバーの立体の外形を郭定する意匠外観付与層１８と、意匠外観付与層の内面に部分的に固定され電波透過性を有する樹脂板２４とを有し、樹脂板２４はそれを構成する材料の比誘電率εｐ及び電波の波長λｅに対し上述の所定の関係をなす厚さを有するので、カバー１０の良好な電波透過性を確保すると共に、光が当たる方向や見る方向に拘らずカバー１０に所望の外観を意匠外観付与層１８により付与することができ（このことも後述の第三及び第四の実施形態についても同様である）、樹脂板２４により意匠外観付与層を保持してカバー全体の強度を確保することができる。
【００３８】
また第二の実施形態によれば、意匠外観付与層１８と樹脂板２４とを接着等の手段により固定すればよく、保持層２０に相当する部材は不要であるので、他の実施形態の場合に比して容易に且つ低廉にカバーを製造することができ、また厚さの小さいカバーを形成することができる。
【００３９】
特に図示の第二の実施形態によれば、意匠外観付与層１８は凸状のロゴマーク２２の領域を除き平板状をなし、その平板状をなす部分の内面に樹脂板２４が固定されているので、意匠外観付与層が例えば全体的に凸状をなし外周部に於いてのみ樹脂板２４と固定されている場合に比して、カバーの強度を高くすることができる。
【００４０】
図４に示された第三の実施形態に於いては、カバー１０は電波透過性を有しカバーの立体の外形を郭定する意匠外観付与層１８と、意匠外観付与層１８の内面に当接し電波透過性を有する保持層２０と、保持層２０の内面に当接する樹脂板２４と、意匠外観付与層１８と樹脂板２４とを一体的に接続し保持層２０の側面を全周に亘り覆う環帯状の樹脂層２６とを有している。
【００４１】
樹脂層２６は意匠外観付与層１８及び樹脂板２４の外周面に接着や圧入等の手段により固定され、樹脂板２４は保持層２０の内面に接着等の手段により固定されている。尚樹脂層２６を構成する樹脂は電波透過性の樹脂及び電波不透過性の樹脂の何れであってもよく、樹脂層２６の厚さは意匠外観付与層１８と樹脂板２４とを一体的に接続し得る限り任意の厚さであってよい。また意匠外観付与層１８及び保持層２０は上述の第一の実施形態の場合と同様に構成され、樹脂板２４は上述の第二の実施形態の場合と同様に構成されている。
【００４２】
かくして図示の第三の実施形態によれば、意匠外観付与層１８と樹脂板２４とが樹脂層２６により一体的に接続され、保持層２０がこれらの部材により覆われているので、保持層２０を確実に保護することができると共に、カバー１０内に泥水等が侵入することを効果的に防止し、カバー全体の強度や良好な耐久性を効果的に確保することができる。
【００４３】
図５に示された第四の実施形態に於いては、カバー１０は電波透過性を有しカバーの立体の外形を郭定する意匠外観付与層１８と、意匠外観付与層１８よりレーダー装置１２の側へ隔置され電波透過性を有する樹脂板２４と、意匠外観付与層１８と樹脂板２４とを全周に亘り一体的に接続しカバー１０の側面を郭定する環帯状の樹脂層２６とを有している。即ちこの実施形態のカバー１０は上述の第三の実施形態より保持層２０が除去された構造を有している。
【００４４】
尚意匠外観付与層１８、樹脂板２４、樹脂層２６は上述の第三の実施形態の場合と同様に構成されている。またカバー１０の内部空間、即ち意匠外観付与層１８と樹脂板２４と樹脂層２６とにより郭定される閉空間には大気圧又は所定の圧力の空気が存在していてよく、また比誘電率が実質的に空気と同一の大気圧又は所定の圧力のガスが封入されていてもよい。
【００４５】
かくして図示の第四の実施形態によれば、上述の第一の実施形態の場合と同様の作用効果を得ることができると共に、第一の実施形態の場合よりもカバー１０による電波の減衰を低減し、製造コストを低減することができる。
【００４６】
修正例
図６は第三の実施形態の修正例を示す図２と同様の断面図である。尚図６に於いて、図１及び図２に示された部材と同一の部材には図１及び図２に於いて付された符号と同一の符号が付されている。
【００４７】
この修正例に於いては、意匠外観付与層１８は外周部を除きレリーフ状に凸状をなし、外周面にて環帯状の樹脂層２６に接着等の手段により固定されている。また保持層２０は意匠外観付与層１８の内面形状に対応する外面形状を有し、接着等の手段により意匠外観付与層１８の内面に固定されている。尚この修正例の他の点は上述の第三の実施形態と同様に構成されている。
【００４８】
かくしてこの修正例より解る如く、意匠外観付与層１８が外周部を除きレリーフ状に凸状をなしている場合にも、上述の第三の実施形態の場合と同様の作用効果を得ることができる。尚図６に示された修正例に於いても、保持層２０が省略されてもよく、樹脂板２４及び樹脂層２６が省略されてもよく、保持層２０及び樹脂層２６が省略され意匠外観付与層１８及び樹脂板２４が互いに固定されてもよい。
【００４９】
以上に於いては本発明を特定の実施形態について詳細に説明したが、本発明は上述の実施形態に限定されるものではなく、本発明の範囲内にて他の種々の実施形態が可能であることは当業者にとって明らかであろう。
【００５０】
例えば上述の各実施形態に於いては、カバー１０はその正面より見て楕円形をなしているが、本発明のカバーの形状は円形や多角形の如き任意の形状であってよい。
【００５１】
また上述の各実施形態に於いては、意匠外観付与層１８はその外面が塗装又は金属蒸着又はコーティングされることにより所望の色彩や模様が付されているが、意匠外観付与層１８が光透過性を有する場合にはその内面が塗装又は金属蒸着されることにより所望の色彩や模様が付されてもよく、その場合には塗装面や金属蒸着面を意匠外観付与層１８により効果的に保護することができる。
【００５２】
また上述の各実施形態に於いては、樹脂層２６は意匠外観付与層１８及び樹脂板２４とは独立の部材であるが、樹脂層２６は意匠外観付与層１８又は樹脂板２４と一体に形成されてもよい。
【図面の簡単な説明】
【図１】本発明による車輌のレーダー装置用カバーの第一の実施形態を示す正面図である。
【図２】図１の線ＩＩ−ＩＩに沿う断面図である。
【図３】本発明による車輌のレーダー装置用カバーの第二の実施形態を示す図２と同様の断面図である。
【図４】本発明による車輌のレーダー装置用カバーの第三の実施形態を示す図２と同様の断面図である。
【図５】本発明による車輌のレーダー装置用カバーの第四の実施形態を示す図２と同様の断面図である。
【図６】第三の実施形態の修正例を示す図２と同様の断面図である。
【符号の説明】
１０…カバー
１２…レーダー装置
１８…意匠外観付与層
２０…保持層
２２…ロゴマーク
２４…樹脂板
２６…樹脂層
【図１】
2004301592.tif 000003
【図２】
2004301592.tif 000004
【図３】
2004301592.tif 000005
【図４】
2004301592.tif 000006
【図５】
2004301592.tif 000007
【図６】
2004301592.tif 000008